(57)【要約】  計測装置３は、尿バッグ１００の質量値を計量する計量部１２と、計量部１２によって計量された質量値に基づいて、排尿量及び単位時間当たりの尿量の少なくとも一方を算出する算出部と、算出部によって算出された排尿量及び単位時間当たりの尿量の少なくとも一方に係る尿量情報を表示するタッチパネルディスプレイ１６と、尿量情報を含むコードを生成してタッチパネルディスプレイ１６に出力する、無線通信によって尿量情報を送信させる、及び／又は、尿量情報又はコードを印字する出力部と、を備える。
2020054487.tif 000002
【特許請求の範囲】
【請求項１】
尿バッグに貯留される尿に係る情報を取得する計測装置であって、
前記尿バッグの質量値を計量する計量部と、
前記計量部によって計量された前記質量値に基づいて、排尿量及び単位時間当たりの尿量の少なくとも一方を算出する算出部と、
前記算出部によって算出された前記排尿量及び前記単位時間当たりの尿量の少なくとも一方に係る尿量情報を表示する表示部と、
前記尿量情報を含むコードを生成して前記表示部に出力する、無線通信によって前記尿量情報を送信させる、及び／又は、前記尿量情報又は前記コードを印字する出力部と、を備える、計測装置。
【請求項２】
前記出力部は、近距離無線通信によって前記尿量情報を送信させる、請求項１に記載の計測装置。
【請求項３】
前記尿バッグを使用する対象者を示す対象者情報を取得する取得部と、
前記取得部によって取得された前記対象者情報と、前記尿量情報とを対応付けて管理する管理部と、を備える、請求項１又は２に記載の計測装置。
【請求項４】
前記計測装置には、前記対象者情報を示すコードを読み取る読取装置が接続可能であり、
前記取得部は、前記読取装置によって読み取られた前記コードに基づいて、前記対象者情報を取得する、請求項３に記載の計測装置。
【請求項５】
前記尿量情報と予め設定された閾値とに基づいて、無尿、乏尿及び多尿を判断する判断部を備え、
前記出力部は、前記判断部において無尿、乏尿又は多尿であると判断された場合には、報知情報を出力する、請求項１〜４のいずれか一項に記載の計測装置。
【請求項６】
請求項１〜５のいずれか一項に記載の計測装置と、
前記計測装置によって取得された尿に係る情報を取得する管理装置と、を備える計測システム。
【発明の詳細な説明】
【技術分野】
【０００１】
本発明は、計測装置及び計測システムに関する。
【背景技術】
【０００２】
病院等では、全身麻酔による手術後等、自分で排尿することが困難な患者に対して、尿バッグを用いる。尿バッグは、患者から排出された尿を貯留する（例えば、特許文献１参照）。
【先行技術文献】
【特許文献】
【０００３】
【特許文献１】実開平０６−００３３１４号公報
【発明の概要】
【発明が解決しようとする課題】
【０００４】
一般的に、尿バッグに溜められた尿の量は、看護師等の病院のスタッフにより、定期的に目視で確認されている。スタッフは、尿バッグに記載されている目盛に基づいて尿の量を確認したり、尿バッグから尿をメスシリンダーへ取り出して計量したりして、尿の量を管理シート等に記載する。これにより、例えば、患者の術後の体調等を管理したり、尿バッグから排尿を行うタイミングの調整等をしたりしている。近年では、患者の情報は電子カルテで管理されている。そのため、従来の管理方法では、管理シートに記載した尿量を電子カルテに登録する作業が必要である。この場合、電子カルテに尿量を登録するときに人為的なミスが発生したり、複数の患者の対応が必要な場合にはスタッフの作業負担となったりする。【０００５】
本発明の一側面は、作業の効率化を図れる計測装置及び計測システムを提供することを目的とする。
【課題を解決するための手段】
【０００６】
本発明の一側面に係る計測装置は、尿バッグに貯留される尿に係る情報を取得する計測装置であって、尿バッグの質量値を計量する計量部と、計量部によって計量された質量値に基づいて、排尿量及び単位時間当たりの尿量の少なくとも一方を算出する算出部と、算出部によって算出された排尿量及び単位時間当たりの尿量の少なくとも一方に係る尿量情報を表示する表示部と、尿量情報を含むコードを生成して表示部に出力する、無線通信によって尿量情報を送信させる、及び／又は、尿量情報又はコードを印字する出力部と、を備える。【０００７】
本発明の一側面に係る計測装置では、出力部は、尿量情報を含むコードを生成して表示部に出力する、無線通信によって尿量情報を送信させる、及び／又は、尿量情報又はコードを印字する。この構成では、出力部で生成されて表示部に表示されたコードを他の端末で読み取ることにより、尿量情報を他の端末で自動的に取得できる。また、出力部によって無線通信で送信された尿量情報を他の端末で受信することにより、尿量情報を他の端末で自動的に取得できる。また、尿量情報又はコードが印字されたシート等を取得できる。このように、計測装置では、スタッフが、患者毎に電子カルテに尿量を入力する作業を省略させることができる。したがって、計測装置では、電子カルテに尿量を登録するときに人為的なミスが発生したり、複数の患者の対応が必要な場合においてスタッフの作業負担となったりすることを回避できる。その結果、計測装置では、作業の効率化を図れる。【０００８】
計測装置では、尿量情報が表示部に表示可能であるだけでなく、コードや無線通信で尿量情報が出力されるため、スタッフは、尿バッグに触れることなく尿量情報を取得することができる。したがって、尿量情報の取得の際の衛生面を確保できる。これにより、スタッフによる病室の巡回等のときに、病室にコンピュータ等を持ち込んで、電子カルテに尿量情報を登録することが可能となる。したがって、尿量情報を取得した直後に電子カルテに尿量情報を登録できるため、作業の効率化を図れる。【０００９】
一実施形態においては、出力部は、近距離無線通信によって尿量情報を送信させてもよい。この構成では、他の端末に設けられた（接続された）リーダを計測装置に近づけることにより、非接触で尿量情報を取得できる。したがって、対象となる計測装置の尿量情報を確実に取得できる。【００１０】
一実施形態においては、尿バッグを使用する対象者を示す対象者情報を取得する取得部と、取得部によって取得された対象者情報と、尿量情報とを対応付けて管理する管理部と、を備えていてもよい。この構成では、対象者（患者等）毎に尿量情報を管理できる。【００１１】
一実施形態においては、計測装置には、対象者情報を示すコードを読み取る読取装置が接続可能であり、取得部は、読取装置によって読み取られたコードに基づいて、対象者情報を取得してもよい。この構成では、対象者情報と尿量情報とを正確に対応付けることができる。したがって、対象者情報と尿量情報との対応付けに誤りが生じるという不具合の発生を確実に回避できる。【００１２】
一実施形態においては、尿量情報と予め設定された閾値とに基づいて、無尿、乏尿及び多尿を判断する判断部を備え、出力部は、判断部において無尿、乏尿又は多尿であると判断された場合には、報知情報を出力してもよい。この構成では、無尿、乏尿又は多尿であることをスタッフに対して報知できる。【００１３】
本発明の一側面に係る計測システムは、上記に記載の計測装置と、計測装置によって取得された尿に係る情報を取得する管理装置と、を備える。【００１４】
本発明の一側面に係る計測システムでは、計測装置の出力部は、尿量情報を含むコードを生成して表示部に出力する、無線通信によって尿量情報を送信させる、及び／又は、尿量情報又はコードを印字する。この構成では、出力部で生成されて表示部に表示されたコードを管理装置の入力部で読み取ることにより、尿量情報を管理装置で自動的に取得できる。また、出力部によって無線通信で送信された尿量情報を管理装置で受信することにより、尿量情報を管理装置で自動的に取得できる。また、尿量情報又はコードが印字されたシート等を取得できる。このように、計測システムでは、スタッフが、患者毎に電子カルテに尿量を入力する作業を省略させることができる。したがって、計測システムでは、電子カルテに尿量を登録するときに人為的なミスが発生したり、複数の患者の対応が必要な場合においてスタッフの作業負担となったりすることを回避できる。その結果、計測システムでは、作業の効率化を図れる。
【発明の効果】
【００１５】
本発明の一側面によれば、作業の効率化を図れる。
【図面の簡単な説明】
【００１６】
【図１】図１は、第１実施形態に係る計測システムを示す図である。
【図２】図２は、計測装置を示す斜視図である。
【図３】図３は、計測装置を示す斜視図である。
【図４】図４は、図１に示す計測システムの計測装置の構成を示す図である。
【図５】図５は、計量部の構成を示す図である。
【図６】図６は、タッチパネルディスプレイに表示される画面の一例を示す図である。
【図７】図７は、タッチパネルディスプレイに表示される画面の一例を示す図である。
【図８】図８は、タッチパネルディスプレイに表示される画面の一例を示す図である。
【図９】図９は、タッチパネルディスプレイに表示される画面の一例を示す図である。
【図１０】図１０は、タッチパネルディスプレイに表示される画面の一例を示す図である。
【図１１】図１１は、タッチパネルディスプレイに表示される画面の一例を示す図である。
【図１２】図１２は、タッチパネルディスプレイに表示される画面の一例を示す図である。
【図１３】図１３は、管理装置の構成を示す図である。
【図１４】図１４は、表示部に表示される画面の一例を示す図である。
【図１５】図１５は、表示部に表示される画面の一例を示す図である。
【図１６】図１６は、第２実施形態に係る計測システムを示す図である。
【図１７】図１７は、図１６に示す計測システムの計測装置の構成を示す図である。
【図１８】図１８は、タッチパネルディスプレイに表示される画面の一例を示す図である。
【図１９】図１９は、図１６に示す計測システムの管理装置の構成を示す図である。
【図２０】図２０は、他の実施形態に係る計測装置を示す斜視図である。
【図２１】図２１は、他の実施形態に係る計測装置を示す斜視図である。
【図２２】図２２は、他の実施形態に係る計測装置の正面図である。
【図２３】図２３は、他の実施形態に係る計測装置のタッチパネルディスプレイに表示される画面の一例を示す図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。
【００１８】
［第１実施形態］
図１に示されるように、計測システム１は、計測装置３と、管理装置５と、を備えている。計測システム１において、計測装置３及び管理装置５は、１台であってもよいし、複数台であってもよい。計測システム１は、例えば、病院等において、尿バッグ１００（図２及び３参照）に貯留される患者の尿を管理する。
【００１９】
計測装置３は、尿バッグ１００に貯留される尿に係る情報を取得する。図２及び図３に示されるように、尿バッグ１００は、尿を貯留する貯留部１０２と、貯留部１０２に尿を導入する導尿管１０４と、を有している。尿バッグ１００には、貯留部１０２に貯留されている尿を排出する排尿管が設けられていてもよい。尿バッグ１００は、市販されている種々のバッグを用いることができる。
【００２０】
図４に示されるように、計測装置３は、ハウジング１０（図２及び図３参照）と、計量部１２と、制御部（算出部、出力部、取得部、管理部、判断部）１４と、タッチパネルディスプレイ（表示部）１６と、通信部１８と、電源部２０と、第１バッテリー２２と、第２バッテリー２３と、を有している。
【００２１】
ハウジング１０は、例えば、ＡＢＳ樹脂等で形成されている。図２及び図３に示されるように、ハウジング１０は、保持部１０ａと、固定部１０ｂと、を有している。保持部１０ａには、導尿管１０４が配置される溝（凹部）１０ｃが設けられている。固定部１０ｂは、保持部１０ａの中央部に設けられている。固定部１０ｂは、保持部１０ａにおいて、揺動可能に設けられている。固定部１０ｂには、導尿管１０４が配置される溝１０ｄが設けられている。図３に示されるように、固定部１０ｂを開くことによって、保持部１０ａに対して導尿管１０４を取り付けることが可能となると共に、保持部１０ａから導尿管１０４を取り外すことが可能となる。図２に示されるように、固定部１０ｂを閉じることによって、溝１０ｃと溝１０ｄとにより導尿管１０４を挟持し、導尿管１０４を保持部１０ａに対して固定できる。固定部１０ｂは、保持部１０ａにおける導尿管１０４の移動を規制する。
【００２２】
図４に示されるように、ハウジング１０には、計測を開始する計測ボタンＢ（図２及び図３参照）と、ＵＳＢポートＰと、が設けられている。また、ハウジング１０には、計測装置３に電力を供給する電源コードＰＣが接続される接続部（図示省略）が設けられている。
【００２３】
電源コードＰＣの一端には、計測装置３の接続部に接続される端子が設けられており、電源コードＰＣの他端には、電源コンセントＰＯに接続されるコンセントプラグが設けられている。計測装置３は、電源コードＰＣのコンセントプラグが電源コンセントＰＯに接続されることにより、電源コンセントＰＯから電力の供給を受け得る。電源コンセントＰＯから供給された電力は、電源部２０に供給される。
【００２４】
ＵＳＢポートＰには、バーコードリーダ（読取装置）ＢＲが接続可能である。バーコードリーダＢＲは、患者情報を含むバーコードを読み取る。患者情報には、患者の氏名等が含まれ得る。バーコードは、例えば、患者の手首に取り付けられるバンドに表示されている。バーコードリーダＢＲは、読み取った患者情報を制御部１４に出力する。
【００２５】
ハウジング１０には、計測装置３をベッド又は点滴スタンド等に取り付けるための取付け部（図示省略）が設けられている。取付け部は、例えば、ハウジング１０の後面（背面）側に配置されている。取付け部は、ハウジング１０に対して着脱可能に設けられていてもよい。取付け部は、取り付け対象（ベッド、点滴スタンド等）に応じて、取り替え可能である。
【００２６】
計量部１２は、尿バッグの質量値を計量する。図５に示されるように、計量部１２は、ロードセル２４と、コンバータ２６と、を有している。
【００２７】
ロードセル２４は、ハウジング１０とフック２８とに接続されている。具体的には、ロードセル２４は、その一端がハウジング１０に固定されており、その他端にフック２８が設けられている。フック２８は、例えば、樹脂で形成されている。フック２８は、尿バッグ１００を係止可能な位置であり、ハウジング１０から突出する係止位置（図２に示される位置）と、尿バッグ１００を係止しないときにハウジング１０内に収容される収容位置と、に移動（揺動）可能である。フック２８は、尿バッグ１００を保持可能（尿バッグ１００が落下しない）形状であれば、如何なる形状であってもよい。
【００２８】
ロードセル２４は、フック２８に係止されている尿バッグ１００の貯留部１０２の質量を検知する。ロードセル２４は、尿バッグ１００の貯留部１０２の質量を検知し、当該質量に関する計量データ（質量値）をコンバータ２６へ出力する。ロードセル２４が出力する計量データは、計量する物品の質量に応じた電圧等のアナログ信号である。ロードセル２４は、半導体圧力センサ等の歪みを計る素子を含んで構成されている。ロードセル２４としては、特に限定されず、公知の種々のロードセルを採用できる。
【００２９】
コンバータ２６は、ロードセル２４から出力されたアナログ信号の計量データを、デジタル信号の計量データへ変換する。コンバータ２６は、計量データを制御部１４に出力する。
【００３０】
制御部１４は、ＣＰＵ（Central  Processing  Unit）、ＲＯＭ（Read  Only  Memory）、ＲＡＭ(Random  Access  Memory)及びＨＤＤ(Hard  Disc  Drive)等で構成されている。制御部１４は、操作者からの入力を受け付けて、計測装置３の各種設定を行う。制御部１４は、タッチパネルディスプレイ１６の待受画面Ｄ１において所定の操作が行われると、設定画面をタッチパネルディスプレイ１６に表示させる。
【００３１】
図６に示されるように、待受画面Ｄ１には、「患者名」、「患者ＩＤ」、「看護師名」、「日時」、「状態アイコン」、「選択アイコン」等が表示される。「状態アイコン」としては、例えば、第１バッテリー２２の状態（残量）を示す残量アイコンＡ１、及び、電源コードＰＣの接続状態を示すアイコンＡ２が表示される。「選択アイコン」には、履歴アイコンＡ３及び設定アイコンＡ４が表示される。制御部１４は、タッチパネルディスプレイ１６に表示されている待受画面Ｄ１において、設定アイコンＡ４がタッチされると、設定画面をタッチパネルディスプレイ１６に表示させる。
【００３２】
図７に示されるように、設定画面Ｄ２では、例えば、パラメータが設定可能である。設定画面Ｄ２には、例えば、パラメータの設定項目として、「時間当たりの尿量」、「無尿」、「乏尿」、「多尿」、「満杯通知の閾値」、「尿バッグの最大容量」、「ゼロ点範囲」等が表示される。「時間当たりの尿量」は、例えば、「１分（ｇ／ｍｉｎ）」、「１時間（ｇ／ｈｏｕｒ）」又は「１日（ｇ／ｄａｙ）」が設定可能である。「無尿」、「乏尿」、「多尿」、「満杯通知の閾値」、「尿バッグの最大容量」及び「零点範囲」では、数値（閾値）が設定可能である。なお、患者の体重を入力することにより、「無尿」、「乏尿」、「多尿」の数値を自動で計算して表示させてもよい。
【００３３】
図８に示されるように、設定画面Ｄ３では、例えば、各種設定が可能である。設定画面Ｄ２では、「時間設定」、「患者／利用者情報」、「病棟設定」、「サンプリングタイム」、「言語設定」が設定可能である。「言語設定」では、例えば、日本語、英語等を選択できる。
【００３４】
制御部１４は、バーコードリーダＢＲから出力された患者情報を入力し、患者情報を登録する。制御部１４は、設定画面Ｄ２の「患者／利用者登録」の項目において、操作者によって所定の操作が行われると、バーコードリーダＢＲに読み取りを開始させる。制御部１４は、バーコードリーダＢＲから出力された患者情報を受け取ると、患者情報と、後述する尿量情報と、を対応付けて管理する。
【００３５】
制御部１４は、計量部１２によって計量された質量値に基づいて、排尿量及び単位時間当たりの尿量を算出する。制御部１４は、コンバータ２６から出力された計量データから重量を算出し、当該重量から風袋重量（尿バッグ１００等を含む重量）を差し引くことにより、尿の重量（排尿量）［ｇ］を算出する。制御部５４は、算出した尿の重量を示す尿量情報をＨＤＤ等に記憶させる。制御部１４は、算出した尿の重量に基づいて、単位時間当たりの尿量［ｇ］を算出する。制御部１４は、設定内容に応じて、単位時間（１時間又は１日）当たりの尿量を算出する。制御部１４は、算出した単位時間当たりの尿量をＨＤＤ等に記憶させる。
【００３６】
制御部１４は、排尿量及び単位時間当たりの尿量をタッチパネルディスプレイ１６に表示させる。図９に示されるように、制御部１４は、測定画面Ｄ４に、「排尿量」の数値［ｇ］と、「時間当たりの尿量」の数値［ｇ］と、を表示させる。制御部１４は、測定画面Ｄ４に、無尿、乏尿及び多尿に対する現在の単位時間当たりの尿量を視覚的に表示させる。具体的には、制御部１４は、無尿、乏尿及び多尿のパラメータが表示されているバーを表示させ、バー上に単位時間当たりの尿量を表示させる。
【００３７】
制御部１４は、尿量の履歴をタッチパネルディスプレイ１６に表示させる。制御部１４は、待受画面Ｄ１において履歴アイコンＡ３がタッチされると、量尿の履歴を表示させる。図１０に示されるように、履歴画面Ｄ５には、「排尿量」及び「尿流量（単位時間当たりの尿量）」について、履歴がグラフで表示される。履歴は、例えば、「１時間」、「１２時間」、「１日」、「１週間」及び「１ヶ月」の単位で表示可能である。図１０に示す例では、１週間の履歴を示している。制御部１４は、測定アイコンＡ５がタッチされると、図９に示される測定画面Ｄ４をタッチパネルディスプレイ１６に表示させる。
【００３８】
制御部１４は、単位時間当たりの尿量に基づいて、無尿、乏尿及び多尿を判断する。制御部１４は、予め設定されている無尿、乏尿及び多尿に関して設定されているパラメータに基づいて、無尿、乏尿及び多尿を判断する。制御部１４は、無尿、乏尿又は多尿であると判断した場合には、無尿、乏尿又は多尿であることをタッチパネルディスプレイ１６に表示させる報知情報をタッチパネルディスプレイ１６に出力する。図１１に示されるように、制御部１４は、例えば、タッチパネルディスプレイ１６に警告のポップアップを表示させる。制御部１４は、タッチパネルディスプレイ１６による表示と共に、ブザー等による報知を行ってもよい。制御部１４は、尿量情報に基づいて、排尿量が満杯通知の閾値以上となった場合には、尿バッグ１００が満杯となったことを報知する報知情報をタッチパネルディスプレイ１６に出力してもよい。
【００３９】
制御部１４は、第１バッテリー２２の状態を取得する。制御部１４は、第１バッテリー２２の残量を取得する。制御部１４は、第１バッテリー２２の残量に応じて、タッチパネルディスプレイ１６に表示される残量アイコンＡ１の表示を制御する。制御部１４は、第１バッテリー２２の残量が閾値以下となった場合、残量が低下していることをタッチパネルディスプレイ１６に表示させる。図１２に示されるように、制御部１４は、タッチパネルディスプレイ１６に第１バッテリー２２の残量が低下していることを示す（充電を促す）ポップアップを表示させる。制御部１４は、タッチパネルディスプレイ１６による表示と共に、ブザー等による報知を行ってもよい。
【００４０】
制御部１４は、タッチパネルディスプレイ１６において所定の操作が行われた場合、尿量情報を通信部１８に出力する。制御部１４は、タッチパネルディスプレイ１６において尿量情報の送信を指示する操作が行われると、記憶されている尿量情報を通信部１８に出力する。制御部１４は、通信部１８において、尿量情報を所定時間送信させる。
【００４１】
タッチパネルディスプレイ１６は、テキスト、画像等を表示可能であると共に、操作者の入力を受け付ける。本実施形態では、タッチパネルディスプレイ１６は、カラー（２５６色以上）での表示が可能である。タッチパネルディスプレイ１６は、制御部１４によって表示内容が制御される。
【００４２】
通信部１８は、近距離無線通信を行う無線モジュールである。通信部１８は、例えば、ＮＦＣ（Near  field  communication）に準拠した通信を行う。通信部１８は、制御部１４から出力された尿量情報を送信する。通信部１８は、例えば、ハウジング１０の上面部の近傍に配置されている。これにより、管理装置５のリーダＲ（後述）がハウジング１０の上面部に近づけられると、通信部１８から送信された尿量情報をリーダＲで受信できる。
【００４３】
電源部２０は、計測装置３の各部に電力を供給する。具体的には、電源部２０は、計量部１２、制御部１４、タッチパネルディスプレイ１６、及び、第１バッテリー２２に電力を供給する。電源部２０は、電源コードＰＣを介して、電源コンセントＰＯから電力の供給を受ける。
【００４４】
第１バッテリー２２は、電源部２０から電力が供給されない場合に、計量部１２、制御部１４及びタッチパネルディスプレイ１６に電力を供給する。第１バッテリー２２は、例えば、リチウムイオン電池である。第１バッテリー２２は、電源部２０から電力の供給を受けて、充電される。第１バッテリー２２の充電は、電源部２０に接続された充電装置（図示省略）によって行われる。第１バッテリー２２は、電源部２０から電力が供給されなくなった場合に、電力の供給を開始する。なお、第１バッテリー２２は、ハウジング１０において着脱可能であってもよい。この場合、第１バッテリー２２は、ナースステーション等に設けられている充電器によって充電することもできる。
【００４５】
第２バッテリー２３は、メモリーバッグアップ用の電源である。第２バッテリー２３は、例えば、リチウムイオンバッテリーである。第２バッテリー２３は、第１バッテリー２２よりも容量が小さくてもよい。第２バッテリー２３は、電源部２０から電力が供給されず、且つ、第１バッテリー２２がハウジング１０から取り外されている場合や第１バッテリー２２の残量が低下している場合に、少なくとも制御部１４に対して電力を供給する。第２バッテリー２３は、電源部２０から電力の供給を受けて、充電される。計測装置３では、電源部２０及び第１バッテリー２２から電力が供給されない場合であっても、第２バッテリー２３によって、時計の設定、計測結果、計測履歴等、計測装置３における設定等を維持することができる。
【００４６】
管理装置５は、計測装置３を統括的に管理する上位装置として機能する。管理装置５は、計測装置３で計測されたデータを管理する。管理装置５は、例えば、専用コンピュータで構成されてもよいし、市販のパーソナルコンピュータにソフトウェア（電子カルテのプログラム）をインストールして用いてもよい。
【００４７】
図１３に示されるように、管理装置５は、入力部５０と、記憶部５２と、制御部５４と、表示部５６と、を有している。
【００４８】
入力部５０は、計測装置３で計測された尿量情報を入力する。入力部５０は、リーダＲによって計測装置３から受信した尿量情報を入力する。リーダＲは、近距離無線通信により、計測装置３から送信された情報を受信する。入力部５０は、入力した尿量情報を記憶部５２に出力する。
【００４９】
記憶部５２は、ＲＯＭ、ＲＡＭ及びＨＤＤ等で構成されている。記憶部５２は、入力部５０が入力した尿量情報を、患者情報に関連付けて記憶する。
【００５０】
制御部５４は、ＣＰＵ等で構成されている。制御部５４は、例えばキーボード等の操作部（図示省略）の操作に応じて、表示部５６の表示を制御する。表示部５６は、例えば、コンピュータのディスプレイである。制御部５４は、例えば、患者の尿量情報の表示を要求する操作を受け付けた場合には、記憶部５２から尿量情報を取得し、表示部５６に表示させる。
【００５１】
図１４に示されるように、表示部５６の表示画面Ｄ６には、例えば、患者毎に、「排尿量」及び「時間当たりの尿量」が表示される。表示画面Ｄ６には、無尿、乏尿及び多尿に対する現在の単位時間当たりの尿量がバーで表示される。また、図１５に示されるように、表示部５６の表示画面Ｄ７には、各患者のデータが一覧で表示されてもよい。
【００５２】
続いて、計測システム１の利用方法について説明する。計測装置３を使用するためには、最初に、計測装置３に尿バッグ１００をセットする。続いて、計測装置３の電源ボタン（図示省略）を押下する。これにより、計測装置３の電源がＯＮとなる。計測装置３は、計測ボタンＢが押下されると、計測を開始する。計測装置３は、計測ボタンＢが押下されると、ゼロ点補正を行う。このとき、計測装置３は、尿バッグ１００に尿が所定量以上貯留されている場合、すなわち「ゼロ点範囲」以上の量の尿が尿バッグ１００に貯留されている場合には、ゼロ点補正を行わない。計測装置３は、ゼロ点補正の後、尿量の計測を開始する。
【００５３】
スタッフが尿量情報を取得する場合には、計測装置３において所定の操作を行い、計測装置３において尿量情報を通信部１８から送信させる。スタッフは、管理装置５のリーダＲを計測装置３に近づけて、計測装置３から送信された尿量情報をリーダＲで受信する。管理装置５は、尿量情報を受信すると、尿量情報に基づく値を電子カルテに入力する。
【００５４】
以上説明したように、本実施形態に係る計測システム１では、計測装置３の制御部１４は、通信部１８による近距離無線通信によって尿量情報を送信させる。この構成では、計測装置３の通信部１８から無線通信で送信された尿量情報を管理装置５で受信することにより、尿量情報を管理装置５で自動的に取得できる。このように、計測装置３では、スタッフが、患者毎に電子カルテに尿量を入力する作業を省略させることができる。したがって、計測装置３では、電子カルテに尿量を登録するときに人為的なミスが発生したり、複数の患者の対応が必要な場合においてスタッフの作業負担となったりすることを回避できる。その結果、計測装置３を備える計測システム１では、作業の効率化を図れる。
【００５５】
計測装置３では、尿量情報がタッチパネルディスプレイ１６に表示可能であるだけでなく、無線通信で尿量情報が出力されるため、スタッフは、尿バッグ１００に触れることなく尿量情報を取得することができる。したがって、尿量情報の取得の際の衛生面を確保できる。これにより、スタッフによる病室の巡回等のときに、病室に管理装置５を持ち込んで、電子カルテに尿量情報を登録することが可能となる。したがって、尿量情報を取得した直後に電子カルテに尿量情報を登録できるため、作業の効率化を図れる。
【００５６】
本実施形態に係る計測システム１では、計測装置３の制御部１４は、近距離無線通信によって、通信部１８から尿量情報を送信させる。この構成では、管理装置５に設けられたリーダＲを計測装置３に近づけることにより、非接触で尿量情報を取得できる。したがって、対象となる計測装置３の尿量情報を確実に取得できる。
【００５７】
本実施形態に係る計測システム１では、計測装置３の制御部１４は、尿バッグ１００を使用する対象者を示す対象者情報を取得し、取得した対象者情報と、尿量情報とを対応付けて管理する。この構成では、対象者（患者等）毎に尿量情報を管理できる。
【００５８】
本実施形態に係る計測システム１では、計測装置３には、対象者情報を示すバーコードを読み取るバーコードリーダＢＲが接続可能である。制御部１４は、バーコードリーダＢＲによって読み取られたバーコードに基づいて、対象者情報を取得する。この構成では、対象者情報と尿量情報とを正確に対応付けることができる。したがって、対象者情報と尿量情報との対応付けに誤りが生じるという不具合の発生を確実に回避できる。
【００５９】
本実施形態に係る計測システム１では、計測装置３の制御部１４は、尿量情報と予め設定された閾値とに基づいて、無尿、乏尿及び多尿を判断し、無尿、乏尿又は多尿であると判断した場合には、報知情報を出力する。この構成では、無尿、乏尿又は多尿であることをスタッフに対して報知できる。
【００６０】
［第２実施形態］
続いて、第２実施形態について説明する。図１６に示されるように、第２実施形態に係る計測システム１Ａは、計測装置３Ａと、管理装置５Ａと、を備えている。本実施形態では、計測装置３Ａは、複数設けられている。計測装置３Ａ及び管理装置５Ａは、無線ＬＡＮ（Local  Area  Network）等のネットワークＮを介して互いに通信可能とされている。
【００６１】
図１７に示されるように、計測装置３Ａは、ハウジング１０（図２及び図３参照）と、計量部１２と、制御部１４と、タッチパネルディスプレイ１６と、通信部１８Ａと、電源部２０と、第１バッテリー２２と、第２バッテリー２３と、を有している。
【００６２】
制御部１４は、タッチパネルディスプレイ１６に待受画面Ｄ１を表示させる。図１８に示されるように、待受画面Ｄ１には、「患者名」、「患者ＩＤ」、「看護師名」、「日時」、「状態アイコン」、「選択アイコン」等が表示される。「状態アイコン」としては、例えば、第１バッテリー２２の状態（残量）を示す残量アイコンＡ１、電源コードＰＣの接続状態を示すアイコンＡ２、及び、無線ＬＡＮの接続状態（受信強度）を示すアイコンＡ６が表示される。「選択アイコン」には、履歴アイコンＡ３及び設定アイコンＡ４が表示される。
【００６３】
制御部１４は、待受画面Ｄ１において設定アイコンＡ４がタッチされると、設定画面をタッチパネルディスプレイ１６に表示させる。設定画面では、例えば、無線接続に関する項目が設定可能である。設定画面には、例えば、無線接続の設定項目として、「Ｗｉ−ＦｉのＯＮ／ＯＦＦ」、「Ｗｉ−Ｆｉ  ＳＳＩＤ」、「Ｗｉ−Ｆｉ  パスワード」、「セキュリティ認証方式」、「ＩＰアドレス」、「サブネットマスク」、「ゲードウェイのＩＰアドレス」、「ＭＡＣアドレス」、「２．４ＧＨｚ／５ＧＨｚ」等が表示される。設定画面では、ＩＥＥＥ８０２．１１ｂ／ｇ／ｎ／ａ（２．４ＧＨｚ／５ＧＨｚ）の規格のいずれかによる通信が設定可能である。
【００６４】
制御部１４は、単位時間当たりの尿量に基づいて、無尿、乏尿及び多尿を判断する。制御部１４は、予め設定されている無尿、乏尿及び多尿に関して設定されているパラメータに基づいて、無尿、乏尿及び多尿を判断する。制御部１４は、無尿、乏尿又は多尿であると判断した場合には、無尿、乏尿又は多尿であることを示すタッチパネルディスプレイ１６に表示させる報知情報をタッチパネルディスプレイ１６に出力すると共に、通信部１８Ａに出力する。
【００６５】
通信部１８Ａは、尿量情報を無線送信する無線ＬＡＮモジュールである。通信部１８Ａは、尿量情報を、計測装置３Ａの固有の識別コードと関連付けて無線送信する。通信部１８Ａの通信方式としては、公知の種々の無線通信方式（ＩＥＥＥ８０２．１１ｂ／ｇ／ｎ／ａ）を利用できる。通信部１８Ａが尿量情報を管理装置５Ａに送信するタイミングは、制御部１４において尿量情報が生成されたタイミングであってもよいし、所定時間毎であってもよい。通信部１８Ａは、制御部１４から報知情報が出力されると、報知情報を管理装置５Ａに送信する。
【００６６】
図１９に示されるように、管理装置５Ａは、通信部５０Ａと、記憶部５２と、制御部５４と、表示部５６と、を有している。
【００６７】
通信部５０Ａは、尿量情報を無線受信する無線ＬＡＮモジュールである。通信部５０Ａは、受信した尿量情報及び識別コードを記憶部５２に出力する。記憶部５２は、通信部５０Ａによって受信された尿量情報を、患者情報に関連付けて記憶する。
【００６８】
制御部５４は、患者情報の入力を受け付け、患者情報を計測装置３Ａに送信させてもよい。この構成では、計測装置３Ａは、管理装置５Ａから送信された患者情報を通信部１８Ａによって受信し、患者情報を登録してもよい。また、計測装置３Ａは、バーコードリーダＢＲによって読み取られた患者情報と、管理装置５Ａから送信された患者情報とが一致した場合に、患者情報を登録してもよい。
【００６９】
以上説明したように、計測システム１Ａでは、計測装置３Ａの制御部１４は、無線ＬＡＮによる無線通信によって尿量情報を送信させる。この構成では、計測装置３Ａの通信部１８Ａによって無線通信で送信された尿量情報を管理装置５Ａで受信することにより、尿量情報を管理装置５Ａで自動的に取得できる。このように、計測装置３Ａでは、スタッフが、患者毎に電子カルテに尿量を入力する作業を省略させることができる。したがって、計測装置３Ａでは、電子カルテに尿量を登録するときに人為的なミスが発生したり、複数の患者の対応が必要な場合においてスタッフの作業負担となったりすることを回避できる。その結果、計測装置３Ａを備える計測システム１Ａでは、作業の効率化を図れる。
【００７０】
計測システム１Ａでは、スタッフが病室を訪れなくても、管理装置５Ａにおいて尿量情報を取得できる。したがって、スタッフが病室を訪れて尿量情報を取得する作業を行う必要がない。そのため、計測システム１Ａでは、スタッフの作業負担の軽減を図れる。
【００７１】
以上、本発明の実施形態について説明してきたが、本発明は必ずしも上述した実施形態に限定されるものではなく、その要旨を逸脱しない範囲で様々な変更が可能である。
【００７２】
上記実施形態では、計測装置３（３Ａ）のハウジング１０が図１に示される構成（形状）である形態を一例に説明した。しかし、ハウジングの構成はこれに限定されない。図２０、図２１及び図２２に示されるように、計測装置３Ｂは、ハウジング１０Ｂと、タッチパネルディスプレイ１６と、を有している。計測装置３Ｂは、計測装置３（３Ａ）と同様に、計量部１２と、制御部１４と、通信部１８（１８Ａ）と、電源部２０と、第１バッテリー２２と、第２バッテリー２３と、を更に有している。
【００７３】
ハウジング１０Ｂは、例えば、ＡＢＳ樹脂等で形成されている。ハウジング１０Ｂは、円筒形状を呈している。ハウジング１０Ｂは、保持部１０Ｂａと、固定部１０Ｂｂと、を有している。保持部１０Ｂａには、導尿管１０４が配置される溝１０Ｂｃ（図２２参照）が設けられている。固定部１０Ｂｂは、保持部１０Ｂａと対向する位置に設けられている。固定部１０Ｂｂは、保持部１０Ｂａにおいて、揺動可能に設けられている。固定部１０Ｂｂには、導尿管１０４が配置される溝１０Ｂｄ（図２２参照）が設けられている。固定部１０Ｂｂを開くことによって、保持部１０Ｂａに対して導尿管１０４を取り付けることが可能となると共に、保持部１０Ｂａから導尿管１０４を取り外すことが可能となる。固定部１０Ｂｂを閉じることによって、溝１０Ｂｃと溝１０Ｂｄとにより導尿管１０４を挟持し、導尿管１０４を保持部１０Ｂａに対して固定できる。固定部１０Ｂｂは、保持部１０Ｂａにおける導尿管１０４の移動を規制する。ハウジング１０Ｂには、取っ手１０Ｂｅが設けられている。
【００７４】
上記実施形態では、計測装置３，３Ａ，３Ｂのハウジング１０に保持部１０ａ，１０Ｂａ及び固定部１０ｂ，１０Ｂｂが設けられている形態を一例に説明した。しかし、ハウジング１０には、保持部１０ａ，１０Ｂａ及び固定部１０ｂ，１０Ｂｂが設けられていなくてもよい。
【００７５】
上記実施形態では、計測装置３のハウジング１０，１０Ｂに設けられているＵＳＢポートＰにバーコードリーダＢＲを接続し、バーコードリーダＢＲによって患者情報を含むバーコードを読み取る形態を一例に説明した。しかし、患者情報の取得方法はこれに限定されない。例えば、患者情報が２次元コードに含まれる場合には、２次元コードを読み取り可能である装置がＵＳＢポートＰに接続されればよい。患者情報が非接触ＩＣカードに含まれている場合には、非接触ＩＣカードを読み取り可能である装置がＵＳＢポートＰに接続されればよい。
【００７６】
上記実施形態では、計測装置３，３Ａ，３Ｂにおいて、表示部がタッチパネルディスプレイ１６である形態を一例に説明した。しかし、計測装置３，３Ａ，３Ｂは、表示部であるディスプレイと操作部であるキー（ボタン）等とを備えていてもよい。
【００７７】
上記実施形態では、計測装置３，３Ａ，３Ｂが第１バッテリー２２及び第２バッテリー２３を備える形態を一例に説明した。しかし、計測装置３，３Ａ，３Ｂは、第１バッテリー２２及び第２バッテリー２３を備えていなくてもよい。上記実施形態では、第１バッテリー２２及び第２バッテリー２３がリチウムイオン電池である形態を一例に説明した。しかし、第１バッテリー２２及び第２バッテリー２３は、鉛蓄電池等、他の二次電池であってもよい。なお、本発明において、二次電池には、コンデンサは含まれない。
【００７８】
上記実施形態では、計測装置３，３Ａ，３Ｂの制御部１４が、排尿量及び単位時間当たりの尿量を［ｇ］で算出する形態を一例に説明した。しかし、制御部１４は、排尿量及び単位時間当たりの尿量を［ｍｌ］で算出してもよい。また、計測装置３，３Ａ，３Ｂは、排尿量及び単位時間当たりの尿量の少なくとも一方を算出すればよい。
【００７９】
上記第１実施形態では、制御部１４が、タッチパネルディスプレイ１６において所定の操作が行われた場合、尿量情報を通信部１８に出力する形態を一例に説明した。しかし、制御部１４は、タッチパネルディスプレイ１６において所定の操作が行われた場合、尿量情報を含むコードを生成してタッチパネルディスプレイ１６に出力してもよい。図２３に示されるように、制御部１４は、例えば、尿量情報を含むバーコードを生成してタッチパネルディスプレイ１６にバーコードを表示させる。管理装置５は、計測装置３のタッチパネルディスプレイ１６に表示されているバーコードをバーコードリーダによって読み取ることにより、尿量情報を取得する。
【００８０】
計測装置３では、制御部１４は、尿量情報を通信部１８によって送信させてもよいし、尿量情報を含むバーコードをタッチパネルディスプレイ１６に表示させてもよい。また、制御部１４は、スタッフによる操作に応じて、制御を切り換えてもよい。具体的には、タッチパネルディスプレイ１６において、尿量情報を送信するか、又は、バーコードを表示させるかを選択する画面を表示する。制御部１４は、タッチパネルディスプレイ１６において受け付けた指示に応じて、尿量情報の出力方法を切り換える。
【００８１】
上記第１実施形態では、計測装置３及び管理装置５のそれぞれは、無線ＬＡＮ等のネットワークを介して互いに通信可能とされていてもよい。この構成では、第２実施形態に係る計測システム１Ａと同様に、無線ＬＡＮによる通信によって尿量情報を送信・受信してもよい。この構成では、例えば、Ｗｉ−Ｆｉを使用できないエリアにおいては、Ｗｉ−ＦｉをＯＦＦにして、管理装置５において計測装置３から直接的に尿量情報を取得し、Ｗｉ−Ｆｉが使用できるエリアにおいては、Ｗｉ−ＦｉをＯＮにして、無線ＬＡＮによる無線通信によって管理装置５が計測装置３から尿量情報を取得してもよい。
【００８２】
上記実施形態に加えて、計測装置３，３Ａ，３Ｂは、尿量以外に、尿に関する情報を取得してもよい。計測装置３，３Ａ，３Ｂは、例えば、尿に含まれる血液、尿に含まれる糖、尿の比重、尿に含まれるウロビリノーゲン、又は、尿蛋白等を検出する検出部を備えていてもよい。検出部は、計測装置３，３Ａ，３Ｂのハウジング１０に対して、着脱可能に設けられていてもよい。検出部は、制御部１４と通信可能に接続される。
【００８３】
上記実施形態では、制御部１４が、排尿量及び単位時間当たりの尿量をタッチパネルディスプレイ１６に表示させると共に、尿量情報を通信部１８，１８Ａから出力（送信）させる形態を一例に説明した。しかし、計測装置において、出力部は、尿情報又はコードを印字するプリンター等であってもよい。この場合、制御部１４は、尿量情報又は尿量情報を含む例えばバーコードに係る情報をプリンターに出力する。出力部は、当該情報に基づいて、尿量情報又はコードを印字する。出力部は、ハウジング１０，１０Ｂに設けられていてもよいし、ハウジング１０，１０Ｂと別体で設けられていてもよい。なお、出力部における印字方式は、様々な形態を採用し得る。
【符号の説明】
【００８４】
１，１Ａ…計測システム、３，３Ａ，３Ｂ…計測装置、５，５Ａ…管理装置、１２…計量部、１４…制御部（算出部、出力部、取得部、管理部、判断部）、１６…タッチパネルディスプレイ（表示部）、１８，１８Ａ…通信部、１００…尿バッグ。
【図１】
2020054487.tif 000003
【図２】
2020054487.tif 000004
【図３】
2020054487.tif 000005
【図４】
2020054487.tif 000006
【図５】
2020054487.tif 000007
【図６】
2020054487.tif 000008
【図７】
2020054487.tif 000009
【図８】
2020054487.tif 000010
【図９】
2020054487.tif 000011
【図１０】
2020054487.tif 000012
【図１１】
2020054487.tif 000013
【図１２】
2020054487.tif 000014
【図１３】
2020054487.tif 000015
【図１４】
2020054487.tif 000016
【図１５】
2020054487.tif 000017
【図１６】
2020054487.tif 000018
【図１７】
2020054487.tif 000019
【図１８】
2020054487.tif 000020
【図１９】
2020054487.tif 000021
【図２０】
2020054487.tif 000022
【図２１】
2020054487.tif 000023
【図２２】
2020054487.tif 000024
【図２３】
2020054487.tif 000025
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
尿バッグに貯留される尿に係る情報を取得する計測装置であって、
前記尿バッグの質量値を計量する計量部と、
前記計量部によって計量された前記質量値に基づいて、排尿量及び単位時間当たりの尿量の少なくとも一方を算出する算出部と、
前記算出部によって算出された前記排尿量及び前記単位時間当たりの尿量の少なくとも一方に係る尿量情報を表示する表示部と、
前記尿量情報を含むコードを生成して前記表示部に出力する、無線通信によって前記尿量情報を送信させる、及び／又は、前記尿量情報又は前記コードを印字する出力部と、
前記出力部における出力先を切り替える制御部と、を備える、計測装置。
【請求項２】
前記出力部は、近距離無線通信によって前記尿量情報を送信させる、請求項１に記載の計測装置。
【請求項３】
前記尿バッグを使用する対象者を示す対象者情報を取得する取得部と、
前記取得部によって取得された前記対象者情報と、前記尿量情報とを対応付けて管理する管理部と、を備える、請求項１又は２に記載の計測装置。
【請求項４】
前記計測装置には、前記対象者情報を示すコードを読み取る読取装置が接続可能であり、
前記取得部は、前記読取装置によって読み取られた前記コードに基づいて、前記対象者情報を取得する、請求項３に記載の計測装置。
【請求項５】
前記尿量情報と予め設定された閾値とに基づいて、無尿、乏尿及び多尿を判断する判断部を備え、
前記出力部は、前記判断部において無尿、乏尿又は多尿であると判断された場合には、報知情報を出力する、請求項１〜４のいずれか一項に記載の計測装置。
【請求項６】
請求項１〜５のいずれか一項に記載の計測装置と、
前記計測装置によって取得された尿に係る情報を取得する管理装置と、を備える計測システム。
【国際調査報告】
2020054487.tif 000026
2020054487.tif 000027
2020054487.tif 000028
2020054487.tif 000029